(57)【特許請求の範囲】
【請求項１】
光記録材料を含む記録層と中間層の２層が繰り返し配列された多層構造において、記録層と中間層の厚さによる配列周期および前記記録層の屈折率および前記中間層の屈折率が一定である多層構造の部分を１単位とし、前記多層構造の１単位がスペーサ層を介して、深さ方向に複数個を積層した構造を持つ多層光情報記録媒体において、
前記配列周期あるいは前記記録層の屈折率あるいは前記中間層の屈折率が前記複数個の多層構造の１単位ごとで異なることを特徴とする多層光情報記録媒体。
【請求項２】
前記複数のスペーサ層において、それぞれの層厚あるいは屈折率が異なることを特徴とする請求項１記載の多層光情報記録媒体。
【請求項３】
前記１単位ごとに設けるトラッキング制御信号発生用の制御層を、前記１単位をなす多層構造で１番目の記録層に隣接して積層したことを特徴とする請求項１または２記載の多層光情報記録媒体。
【請求項４】
前記１単位ごとに設けるトラッキング制御信号発生用の制御層を、前記１単位をなす多層構造の中間部分に積層したことを特徴とする請求項１または２記載の多層光情報記録媒体。
【請求項５】
前記１単位ごとに設けるトラッキング制御信号発生用の制御層に隣接して接着層あるいは粘着層を設けたことを特徴とする請求項３または４記載の多層光情報記録媒体。
【請求項６】
前記制御層に１単位として構成する記録層と中間層の組み合わせの順序情報および多層光情報記録媒体内の位置を表す情報を記録したことを特徴とする請求項３〜５のいずれか１項に記載の多層光情報記録媒体。
【請求項７】
前記多層構造の１単位と前記１単位の間に積層するスペーサ層を接着層あるいは粘着層としたことを特徴とする請求項１〜６のいずれか１項に記載の多層光情報記録媒体。
【請求項８】
前記多層構造の１単位において、前記１単位を構成する記録層と中間層の間に障壁層を設けたことを特徴とする請求項１〜７のいずれか１項に記載の多層光情報記録媒体。
【請求項９】
周囲と光学的性質が変化してなる記録スポットの複数が周期的に配列、かつ層状に配置された記録層において、前記層状に配置された記録スポットの周期が一定である多層構造の部分を１単位とし、前記多層構造の１単位がスペーサ層を介して、深さ方向に複数個を積層した構造を持つ多層光情報記録媒体において、
前記記録スポットを配置する層状の周期が、あるいは前記記録層の屈折率が前記１単位ごとで異なることを特徴とする多層光情報記録媒体。
【請求項１０】
前記複数のスペーサ層において、それぞれの層厚あるいは屈折率が異なることを特徴とする請求項９記載の多層光情報記録媒体。
【請求項１１】
前記１単位ごとに設けるトラッキング制御信号発生用の制御層を、前記１単位をなす記録層に隣接して積層したことを特徴とする請求項９または１０記載の多層光情報記録媒体。
【請求項１２】
前記１単位ごとに設けるトラッキング制御信号発生用の制御層を、前記１単位をなす記録層の中間に積層したことを特徴とする請求項９または１０記載の多層光情報記録媒体。
【請求項１３】
前記１単位ごとに設けるトラッキング制御信号発生用の制御層に隣接して接着層あるいは粘着層を設けたことを特徴とする請求項１１または１２記載の多層光情報記録媒体。
【請求項１４】
前記制御層に１単位として構成する記録層中で記録スポットの複数の周期的な配列や層状の配置に係る構成情報および多層光情報記録媒体内の位置を表す情報を記録したことを特徴とする請求項１１〜１３のいずれか１項に記載の多層光情報記録媒体。
【請求項１５】
前記記録層の１単位と前記１単位の間に積層するスペーサ層を接着層あるいは粘着層としたことを特徴とする請求項９〜１４のいずれか１項に記載の多層光情報記録媒体。
【発明の詳細な説明】
【技術分野】
【０００１】
本発明は、光ファイルシステムや映像情報等の記録を行う光情報記録再生装置および記録媒体に関し、特に多層式光記録媒体の情報記録再生装置およびその利用効率を高くできる多層光情報記録媒体に関するものである。
【背景技術】
【０００２】
従来の多層光情報記録媒体として、少なくとも２個の記録面およびガイド面を有する光記録媒体に光学的に情報を書き込み、書き込んだ情報を読み取りおよび／または消去する方法並びにその装置が特許文献１に記載されている。図１４に示す特許文献１に記載されている記録媒体の構造は、複数の記録層３に対して１つのトラック層（制御層）５を設けて構成されている。
【０００３】
また、特許文献２には、光記録媒体、光ピックアップ装置および記録再生装置として、トラッキング用の制御層と感光材料を層状に重ねた記録媒体の構成が記載されており、特許文献３には、記録可能な記録層が樹脂製コア層または樹脂製クラッド層に隣接して設けられてなる光メモリ素子であり、記録層と樹脂製コア層または樹脂製クラッド層との間に、混和を防止するための障壁層を設けた構成が記載されている。
【０００４】
また、特許文献４には、光記録媒体用粘接着シート、光記録媒体用多層構造体および多層記録媒体として、感光材料を含む光記録層と粘接着剤層とが積層されてなる粘接着シートを用いて記録層と非記録層を交互に積層した多層構造の光記録媒体が記載されている。
【特許文献１】特許第３１１０５３２号公報
【特許文献２】特開２００３−３６５３７号公報
【特許文献３】特開２００３−１４１７３９号公報
【特許文献４】特開２００５−２５９１９２号公報
【発明の開示】
【発明が解決しようとする課題】
【０００５】
しかしながら、このような構成の多層積層型の光情報記録媒体は、積層構造を多段にしていくと、特定の波長や入射角の条件で反射戻り光の反射率の振幅が大きくなり波長依存性が強くなっていく。このため波長や入射光の角度変化により、信号記録および読み出し時の光量が変化してしまうため、ノイズが増加しＳ／Ｎ比が劣化する。
【０００６】
また、図１４に示すように、多層記録用の光記録媒体に対して、トラッキング用の制御層を加えた場合では、積層構造を多段にしていくと、各多層記録層と制御層との距離が大きくなり、制御する精度を確保することが困難になってくる。
【０００７】
また、多段積層の記録層と制御層とが密着しているため、記録層と制御層を順次積層した場合、制御層の加工プロセスに制約が生じて設計の自由度が低下するという問題があった。
【０００８】
本発明は、前記従来技術の問題を解決することに指向するものであり、多層積層型の光記録媒体において、信号記録および読み出し時の光量変化が小さく、波長や入射光の角度変化により、ノイズが増加してＳ／Ｎ比の劣化することのない、また、記録層の積層数が多段であっても、トラッキング制御する精度を確保して精度低下を少なくし、さらに、各記録層と制御層を順次積層したときに、制御層の加工プロセスに制約が生じることなく、設計の自由度が制限されることのない多層光情報記録媒体を提供することを目的とする。
【課題を解決するための手段】
【０００９】
前記の目的を達成するために、本発明に係る請求項１に記載した多層光情報記録媒体は、光記録材料を含む記録層と中間層の２層が繰り返し配列された多層構造において、記録層と中間層の厚さによる配列周期および記録層の屈折率および中間層の屈折率が一定である多層構造の部分を１単位とし、多層構造の１単位がスペーサ層を介して、深さ方向に複数個を積層した構造を持つ多層光情報記録媒体において、配列周期あるいは記録層の屈折率あるいは中間層の屈折率が複数個の多層構造の１単位ごとで異なることにより、多層構造の１単位間での光学的な位相変化をスペーサ層で調整し最適化でき、反射戻り光の反射率やその振幅が波長変動や入射角の変化により変動することを互いの干渉により弱めることができる。
【００１０】
また、請求項２に記載した多層光情報記録媒体は、請求項１の多層光情報記録媒体における複数のスペーサ層において、それぞれの層厚あるいは屈折率が異なることにより、多層構造の各単位間における光の伝播時の相対的な位相が変化し、反射戻り光の反射率や振幅が波長変動や入射角の変化により変動することを互いの干渉により弱めることができる。
【００１１】
また、請求項３〜６に記載した多層光情報記録媒体は、請求項１または２の多層光情報記録媒体における１単位ごとに設けるトラッキング制御信号発生用の制御層を、１単位をなす多層構造で１番目の記録層に隣接して積層したこと、また１単位をなす多層構造の中間部分に積層したこと、さらに、１単位ごとに設けるトラッキング制御信号発生用の制御層に隣接して接着層あるいは粘着層を設けたこと、または、制御層に１単位として構成する記録層と中間層の組み合わせの順序情報および多層光情報記録媒体内の位置を表す情報を記録したことにより、１単位ごとに制御層に基づきトラッキング制御ができ、多層構造の１単位を深さ方向に積層する際の制御層に対する制約を受けることなく形成できる。
【００１２】
また、請求項７，８に記載した多層光情報記録媒体は、請求項１〜６の多層光情報記録媒体における多層構造の１単位と１単位の間に積層するスペーサ層を接着層あるいは粘着層としたこと、さらに、多層構造の１単位において、１単位を構成する記録層と中間層の間に障壁層を設けたことにより、多層構造の１単位を順次積層する構成が容易にでき、また記録層と中間層の形成時に一方の層の溶媒が他方の層に影響することなく形成することができる。
【００１３】
また、請求項９に記載した多層光情報記録媒体は、周囲と光学的性質が変化してなる記録スポットの複数が周期的に配列、かつ層状に配置された記録層において、層状に配置された記録スポットの周期が一定である多層構造の部分を１単位とし、多層構造の１単位がスペーサ層を介して、深さ方向に複数個を積層した構造を持つ多層光情報記録媒体において、記録スポットを配置する層状の周期が、あるいは記録層の屈折率が前記１単位ごとで異なることにより、多層構造の１単位間での光学的な位相変化をスペーサ層で調整し最適化でき、反射戻り光の反射率やその振幅が波長変動や入射角の変化により変動することを互いの干渉により弱めることができる。
【００１４】
また、請求項１０に記載した多層光情報記録媒体は、請求項９の多層光情報記録媒体における複数のスペーサ層において、それぞれの層厚あるいは屈折率が異なることにより、多層構造の各単位間における光の伝播時の相対的な位相が変化し、反射戻り光の反射率や振幅が波長変動や入射角の変化により変動することを互いの干渉により弱めることができる。
【００１５】
また、請求項１１〜１４に記載した多層光情報記録媒体は、請求項９〜１０の多層光情報記録媒体における１単位ごとに設けるトラッキング制御信号発生用の制御層を、１単位をなす記録層に隣接して積層したこと、また１単位をなす記録層の中間に積層したこと、さらに、１単位ごとに設けるトラッキング制御信号発生用の制御層に隣接して接着層あるいは粘着層を設けたこと、または、制御層に１単位として構成する記録層中で記録スポットの複数の周期的な配列や層状の配置に係る構成情報および多層光情報記録媒体内の位置を表す情報を記録したことにより、１単位ごとに制御層に基づきトラッキング制御ができ、多層構造の１単位を深さ方向に積層するとき制御層に対する制約を受けることなく形成できる。
【００１６】
また、請求項１５に記載した多層光情報記録媒体は、請求項９〜１４の多層光情報記録媒体における記録層の１単位と１単位の間に積層するスペーサ層を接着層あるいは粘着層としたことにより、１単位を順次積層する構成が容易にできる。
【発明の効果】
【００１７】
本発明によれば、波長や入射光の角度変化による信号記録および読み出し時の反射光量変化を抑制し、ノイズの増加やＳ／Ｎ比の劣化を低減するとともに、トラッキングの精度を高めた多層光情報記録媒体を提供できるという効果を奏する。
【発明を実施するための最良の形態】
【００１８】
以下、図面を参照して本発明における実施の形態を詳細に説明する。
【００１９】
図１は本発明の実施の形態１における多層光情報記録媒体の構成を示した図である。本実施の形態１について図１を参照しながら説明する。図１に示すように、基板１上に、１番目の中間層２、１番目の記録層３、２番目の中間層２、さらに２番目の記録層３、３番目の中間層２と繰り返し、記録層３と中間層２からなる多層構造を１単位として、例えば記録層３を５層、中間層２を６層が積層される。さらに、その上に分離層（スペーサ層）４が積層されている。このように、基板１上に１単位の多層記録媒体がスペーサ層４を挟み複数が積層されて多層光情報記録媒体を構成する。
【００２０】
また、別の１単位として中間層２、記録層３、中間層２と繰り返し、同じく記録層３が５層、中間層２が６層を積層している。ここで、光記録媒体の記録層３に光源波長の光を対物レンズにより集光し、集光スポットによって記録マークを形成する。
【００２１】
なお、本実施の形態１において記録マークの屈折率が周囲に対して増加する材料を用いても良く、その反対に屈折率が周囲に対して減少する材料を用いても良い。また、記録層３の層厚は集光スポットの深さ方向の大きさに比べ小さい方が望ましい。反対に中間層２の層厚は集光スポットの深さ方向の大きさ程度、あるいはそれより大きい方が望ましい。
【００２２】
また、記録した情報の読み取りは、記録層３の屈折率が記録マークのある所とない所で異なるため、中間層２と記録層３の間の界面における反射率が記録マークの有無で異なることを利用し、反射光の強弱による読み取りを行う。
【００２３】
基板１としては、ガラス、酸化物結晶、ポリカーボネート、ポリオレフィン等の光源波長に対して透明な材料が適用できる。また、中間層２は光源波長に対して透明な材料で構成され、記録層３は光源波長の光の１部を吸収するように設定されている。さらに、中間層２としては、ポリビニールアルコール、エチレンビニールアルコール等の樹脂を塗布して積層しているが、例えばポリカーボネート、ポリスチレン、ポリアミド、エポキシ、ウレタン樹脂等の透明な樹脂およびそのフィルムを融着、押し出し成形、ラミネート、蒸着等で積層して形成することもできる。
【００２４】
さらに、材料は有機材料に限らず、ガラス、酸化物等の蒸着、スパッタリング等の方法で形成が可能である。記録層３としてはポリメチルメタクリレート、ポリスチレン等の樹脂とスピロピラン、ジアリールエテン、フルギドのような特定の光源波長の光を吸収して吸収波長や屈折率が変化するフォトクロミック色素を混合したものを塗布や混合蒸着等の方法で積層している。これらの色素を用いた記録媒体では、短パルス高出力のレーザ光源を用いて２光子吸収を含めた多光子吸収等の記録方法を用いることもできる。分離層（スペーサ層）４に関しては、中間層２と同様な材料を用いて同様な方法で形成することができる。
【００２５】
また、１単位を構成する記録層３と中間層２の間に障壁層（図示せず）を設け、この障壁層により、記録層３と中間層２の多層構造を形成する際に、一方の層の溶媒が他方の層を溶解してしまうような場合であっても、その間に別材料の障壁層が存在するため、溶剤の塗布といった簡便な方法で各層を形成することができる。また、後述する記録層３と中間層２の構成において、各層厚を薄くして透過率を高めるような場合にも容易に対応することができる。
【００２６】
次に、本実施の形態１の多層光情報記録媒体の特性について、図２，図３を用いて説明する。図２は図１に示す多層光情報記録媒体において、中間層２および記録層３の組み合わせが５層の場合と５０層の場合とで、基板１と反対側から見た相対的な反射率を比較した層数と反射率の関係を示す図である。ここでは、スペーサ層４や基板１の影響は考えずに、単純に中間層２および記録層３の組み合わせを繰り返し積層数のみを変化させている。
【００２７】
この計算例では記録層３の屈折率ｎ２を１．６、中間層２の屈折率ｎ３を１．５として、光源波長λが０．６６μｍの場合の、多層構造の反射率の計算例を示している。記録層３の層厚はλ／４ｎ２、中間層２の厚さはλ／４ｎ３の奇数倍の場合（図２に示す実線）と、この条件から少し外れた場合（図２に示す破線）の２条件を示している。
【００２８】
図２から分かるように、中間層２の層厚はλ／４ｎ３の奇数倍の場合に層数の増加に伴い急激に反射率が増加することが分かる。これは光記録媒体の基板１を反対側から見て光が奥まで届かないことを示しており避ける必要がある。
【００２９】
また、図３は図２と同様に多層構造の中間層層厚と反射率の関係を示す図である。ここでは記録層３の層厚はλ／４ｎ２に固定し、中間層２の層厚を変化させたときの反射率を層数５０（図３に示す実線）の場合と、層数５（図３に示す破線）の場合を示している。ここでの多層光情報記録媒体の構成は、層数５を１単位とし１０個を積層したものを例としている。層数が多いと、中間層２の層厚によっては反射率が高く避けるべき条件が中間層２の層厚により周期的に存在することが分かる。
【００３０】
このため特定の中間層２の層厚と屈折率に対して、図３に示すような中間層２の層厚と屈折率（屈折率と層厚の積で決まる光路長）の組み合わせ条件は避ける必要がある。
【００３１】
この観点からは、記録層３と中間層２の配列周期や中間層の屈折率は、記録層３と中間層２の２層以上からなる多層構造を１単位として、複数の１単位により構成した多層光情報記録媒体の組の中でも一定である必要はなく変化している方が望ましい。さらに、スペーサ層４の層厚および屈折率に関しては、層厚と屈折率の積である光路長がλ／２の整数倍であることが望ましい。
【００３２】
この条件において、前述した多層構造を１単位として、これらが複数ある場合に、スペーサ層４の上下にある１単位が反射率の高い場合であっても全体の透過率が低下することを防止して透過率を高めることができる。
【００３３】
図４は本発明の実施の形態２における多層光情報記録媒体の構成を示した図である。本実施の形態２について図４を参照しながら説明する。図４に示すように、基板１の上に１番目の記録層３が形成され、その中には周囲と屈折率の異なる記録スポットである記録マーク３ａの複数が周期的に配列、かつ基板１に垂直な方向に一定の周期（間隔）を持って層状に配置されて形成される。
【００３４】
記録マーク３ａの複数が周期的に配列、かつ層状に配置された記録層３を１単位として、その上にスペーサ層４が積層される。また、スペーサ層４の上には２番目の記録層３が積層され、１番目の記録層３と同様に、中には周囲と屈折率の異なる記録マーク３ａの複数が周期的に配列、かつ層状に形成されている。さらに、その上にもスペーサ層４が積層され、この繰り返しにより多層光情報記録媒体を構成する。
【００３５】
多層光情報記録媒体は光源波長の光を対物レンズで記録層３に集光し、集光スポットにより記録マーク３ａの列を形成する。ここでは、各記録マーク３ａの屈折率が周囲に対して増加する材料を用いても良く、その反対に屈折率が周囲に対して減少する材料を用いても良い。また、記録した情報の読み取りでは、記録マーク３ａの列の屈折率が周囲と異なるため、集光スポットを記録マーク３ａに照射したときの反射率が記録マーク３ａのある所とない所で異なることを利用して反射光の強弱による読み取りを行う。
【００３６】
また、基板１の材料に関しては、前述の実施の形態１と同様である。記録層３としては、ポリメチルメタクリレート、ポリスチレン等の樹脂とスピロピラン、ジアリールエテン、フルギドのような特定の光源波長の光を吸収して吸収波長や屈折率が変化するフォトクロミック色素を混合したものを塗布や混合蒸着等の方法で積層している。これらの色素を用いた記録では、短パルス高出力のレーザ光源を用いて２光子吸収を含めた多光子吸収等の記録方法を用いることもできる。分離層（スペーサ層）４に関しても、実施の形態１の中間層と同様な材料を用いて同様な方法で形成することができる。
【００３７】
さらに、本実施の形態２に関しても、前述の図２，図３に示された実施の形態１の多層光情報記録媒体の特性と類似した特性を持つ。すなわち、実施の形態１の構成における中間層２および記録層３の組み合わせの周期が、本実施の形態２における記録マーク３ａの層状の周期に相当する。この場合においても、図２，図３に示したような、記録マーク３ａの層状の周期は、λを光源波長、ｎ２を記録層３の屈折率とすると、λ／４ｎ２の奇数倍の場合に、記録マーク３ａの層数の増加に伴い急激に反射率が増加する現象が存在する。これは、多層光情報記録媒体の基板１を反対側から見て光が奥まで届きにくくなることを示しており避ける必要がある。
【００３８】
また、層数が多いと、記録マーク３ａの周期によっては反射率が高く、これを避けるべき条件が記録マーク３ａの層状の周期により周期的に存在することが分かる。このような記録マーク３ａの層状の周期と記録媒体の屈折率の（屈折率と周期の積で決まる光路長）組み合わせ条件は避ける必要がある。
【００３９】
この観点から、記録マーク３ａの層状の周期と記録層３の屈折率は、記録層の１単位として、複数の１単位により構成した多層光情報記録媒体の組の中でも一定である必要はなく変化している方が望ましい。さらに、スペーサ層４の層厚および屈折率に関しても、層厚と屈折率の積である光路長がλ／２の整数倍であることが望ましい。
【００４０】
この条件において、周囲と光学的性質が変化してなる記録マーク３ａの複数が周期的に配列、かつ層状に配置され記録可能な記録層３を１単位とし、これらが複数ある場合に、スペーサ層４の上下にある記録層３の１単位で反射率の高い場合であっても全体の透過率が低下することを防止して透過率を高めることができる。
【００４１】
図５は本発明の実施の形態３における多層光情報記録媒体の構成を示した図である。本実施の形態３について図５を参照しながら説明する。図５に示すように、本実施の形態３は、前述した図１に示す実施の形態１と構造が類似するが、基板１と中間層２の間に、１番目の接着層６、制御層５、２番目の接着層６が形成されている点が異なる。ここで、制御層５にトラッキング用のグルーブが形成されており、接着層６とはその屈折率は異なっている必要がある。ただし、制御層５の屈折率が接着層６の屈折率より高くても低くても構わない。
【００４２】
また、２番目の接着層６の上に中間層２、記録層３、中間層２、記録層３と、前述の実施の形態１と同様な層が形成され、さらに、スペーサ層４が形成されている。これ以後は、前述した各層が周期的に繰り返されて配置され、多層光情報記録媒体を構成する。
【００４３】
さらに、本実施の形態３における記録層３と中間層２の構成として、それぞれを５層、６層とした層数の１単位に制御層５を設けた例を示したが、本発明はこれに限定されるものではない。例えば、（記録層３の層厚）×層数＋（中間層２の層厚）×層数の値が大きくなると、制御層５において最も遠い記録層３との距離が離れて、後述する信号記録再生装置のように２つの光源からの光ビームを用いたトラッキング位置制御方法を行う場合、記録用光ビームの集光スポットにおいてトラッキング位置精度が悪くなり、制御層５を１単位に隣接して設ける効果が小さくなる。この観点から実用的には各層について１００層以下のレベルとなる。
【００４４】
また、図５において、制御層５はプッシュプル法での検出用にグルーブが基板１側に形成されている。しかし、基板１と反対側に形成されても良い。また、グルーブ形状のみでなく屈折率変調型であっても構成は可能である。さらに、制御層５のグルーブのパターンは同心円状や渦巻状等、任意のパターンが適用できる。
【００４５】
その他の構成と作用は実施の形態１と同様である。また、材料に関しては、制御層５に、例えばＵＶ硬化樹脂を塗布し透明な凹凸形状のスタンパーを接触させて形状を転写する方法などが適用できる。また、接着層６は樹脂の各種接着剤や粘着剤等が適用できる。
【００４６】
図６は本発明の実施の形態４における多層光情報記録媒体の構成を示した図である。本実施の形態４について図６を参照しながら説明する。本実施の形態４は、前述した図４に示す実施の形態２の構成に、図５に示す実施の形態３の制御層５、接着層６を設けて構成したものである。図６に示すように、基板１あるいはスペーサ層４と記録層３の間に、接着層６、制御層５、接着層６を形成して多層光情報記録媒体を構成する。それ以外の構成，動作等は、前述の実施の形態２，３の場合と同様である。
【００４７】
図７は本発明の実施の形態５における多層光情報記録媒体の構成を示した図である。本実施の形態５について図７を参照しながら説明する。本実施の形態５は、前述した図１に示す実施の形態１の構成において、スペーサ層４の層厚が異なるスペーサ層４−１，４−２を形成したものである。また、スペーサ層４において、光路長を変えるためスペーサ層４の屈折率を変化させても良い。それ以外の本実施の形態５の構成，動作等は、前述した実施の形態１の場合と同様である。さらに、スペーサ層４の層厚を変化させる程度は、光路長で０からλ／２程度以上あれば十分であるが、任意で良い。
【００４８】
図８は本発明の実施の形態６における多層光情報記録媒体の構成を示した図である。本実施の形態６について図８を参照しながら説明する。本実施の形態６は、前述した図３に示す実施の形態２の構成において、スペーサ層４の層厚が異なるスペーサ層４−１，４−２を形成したものである。また、スペーサ層４において、光路長を変えるためスペーサ層４の屈折率を変化させても良い。それ以外の本実施の形態６の構成，動作等は、前述した実施の形態２の場合と同様である。さらに、スペーサ層４の層厚を変化させる程度は、光路長で０からλ／２程度以上あれば十分であるが、任意で良い。
【００４９】
図９は本発明の実施の形態７における多層光情報記録媒体の構成を示した図である。本実施の形態７について図９を参照しながら説明する。本実施の形態７は、前述した図１に示す実施の形態１の構成において、中間層２あるいは中間層２と記録層３の層厚が異なる中間層２−１，２−２，２−３および記録層３−１，３−２，３−３のように層厚を変化させて形成したものである。また、中間層２あるいは中間層２と記録層３の光路長を変えるために中間層２あるいは中間層２と記録層３の屈折率を変化させても良い。それ以外の本実施の形態７の構成，動作等は、前述した実施の形態１の場合と同様である。さらに、中間層２と記録層３の層厚の厚さを変化させる程度は、光路長で０からλ／２程度以上あれば十分であるが、任意でも良い。さらに、ばらつきの仕方はなるべく周期性がない方が望ましい。
【００５０】
図１０は本発明の実施の形態８における多層光情報記録媒体の構成を示した図である。本実施の形態８について図１０を参照しながら説明する。本実施の形態８は、前述した図５に示す実施の形態２の構成において、記録層３の中で記録マーク３ａの層状の周期を、記録層３−１，３−２，３−３のように変化させ、また記録マーク３ａ間の厚さ３ｂ−１，３ｂ−２，３ｂ−３のように変化させて構成したものである。また、記録層３の中で記録マーク３ａの層状の周期を変えずに光路長を変えるために記録層３の屈折率を変化させても良い。それ以外の構成，動作等は、前述した実施の形態２の場合と同様である。記録層３の層厚と記録マーク３ａ間の厚さを変化させる程度は、光路長で０からλ／２程度以上あれば十分であるが、任意でも良い。さらに、ばらつきの仕方はなるべく周期性がない方が望ましい。
【００５１】
図１１は本発明の実施の形態９における多層光情報記録媒体の構成を示した図である。本実施の形態９について図１１を参照しながら説明する。本実施の形態９は、前述した図５に示す実施の形態３と構造が類似しているが、図５において基板１と中間層２の間にある、１番目の接着層６，制御層５，２番目の接着層６が、１単位として周期的に積層された中間層２および記録層３の間に形成した点で構造が異なる。ただし、図１１に示すように、図５において１番目の接着層６、制御層５の次にある２番目の接着層６が省略されている。この場合は制御層５の上に直接、中間層２を形成して積層することができる。それ以外の本実施の形態９における構成，動作等は、前述した実施の形態２の場合と同様である。
【００５２】
図１２は本発明の実施の形態１０における多層光情報記録媒体の構成を示した図である。本実施の形態１０について図１２を参照しながら説明する。本実施の形態１０は、前述した図６に示す実施の形態４と構造が類似しているが、図６の構成とは、基板１あるいはスペーサ層４と記録層３の間にあった１番目の接着層６，制御層５，２番目の接着層６が、記録層３と記録層３の間に形成されている点が異なる。ただし、図１２に示す構成では２番目の接着層６が省略されている。この場合は制御層５の上に直接、記録層３を形成して構成することができる。それ以外の構成，動作等は、前述した実施の形態４の場合と同様である。
【００５３】
図１３は本発明の実施の形態１１における多層光情報記録媒体に信号記録再生を行う装置を示した構成図である。ここでは、各実施の形態の中から前述の図５に示す実施の形態３で説明した多層光情報記録媒体に信号の記録再生を行う例を示している。
【００５４】
本実施の形態１１について図１３を参照しながら説明する。図１３に示す信号記録再生装置では、光源１１（第１光源）からの出射光はレンズ１２、偏光ビームスプリッタ１３、ダイクロイックプリズム１４、１／４波長板１５、対物レンズ１６を介して光記録媒体中の制御層５のトラック部分に集光する。制御層５のトラック部分からの反射光は対物レンズ１６、１／４波長板１５、ダイクロイックプリズム１４を通って偏光ビームスプリッタ１３により反射され、集光レンズ１７、ピンホール１８（第１ピンホール）、集光レンズ１９および２０を通り、シリンドリカルレンズ２１を通って４分割光検出器２２上に集光する。
【００５５】
集光レンズ２０とシリンドリカルレンズ２１により集光した光線は非点収差を生じ、２つの焦点を持つ。この２つの焦点位置の間に、４分割光検出器２２を配置する。また集光レンズ１７および１９の間にはピンホール１８を配置し、このピンホール１８の径は、例えば集光レンズ１７の集光スポット径に対してやや大きめに設定している。このため光源１１からの光ビームが光記録媒体の制御層５に焦点が合わなくても、戻り光がピンホール１８を通過できるようにしている。
【００５６】
次に光源１１とは別の光源２３（第２光源）からの出射光は、レンズ２４を通過後、偏光ビームスプリッタ２５で反射し、その後、集光レンズ２６および２７を通り、ダイクロイックプリズム１４で反射し、１／４波長板１５を通って対物レンズ１６により光記録媒体中の記録層３に集光する。対物レンズ１６はコイル等の位置制御機構がついており、位置の制御が可能である。
【００５７】
光記録媒体の記録層３からの反射光は対物レンズ１６、１／４波長板１５、ダイクロイックプリズム１４を通って反射し、集光レンズ２７および２６を通り、さらに偏光ビームスプリッタ２５を透過して集光レンズ２８、ピンホール２９（第２ピンホール）を経て光検出器３０上に集光する。
【００５８】
ここで光源２３とピンホール２９の位置は光学的に共焦の配置となっている。さらに集光レンズ２６および２７はビームエキスパンダを形成しており、位置制御装置として機能し、お互いの位置を光軸に沿って変化させることにより、光記録媒体内で結焦させる焦点位置を変化させることができる。すなわち集光レンズ２６および２７の間隔を制御することにより、光源２３からの光ビームの集光位置を光軸に沿って調節することが可能である。またピンホール２９はその径が集光レンズ２８の集光スポット径と同じレベルか、その前後のレベルに調整されている必要がある。
【００５９】
このような構成では、光源１１からの出射光による光ビームを制御層５上のトラックに焦点を合わせたまま、光源２３からの光ビームを、光源１１からの光ビームによる集光スポットから相対的にある一定の光軸上の距離だけ離れるように、集光レンズ２６および２７の間隔を制御し調整しておけば、任意の記録層３上に集光させることができる。光源１１からの出射光は４分割光検出器２２の信号から非点収差法によるフォーカス誤差信号と、プッシュプル法によるトラック誤差信号を得ることができる。このため対物レンズ１６を制御することができる。
【００６０】
これ以外の構成としては、光源２３と光検出器３０の検出系を複数設けて多層の記録層３へマルチビームで情報を記録再生することもできる。また光源２３と光検出器３０の検出系の代わりに、光源１１と４分割光検出器２２の光学系を複数設け、複数の記録層３に同時にそれぞれフォーカスサーボを掛けることもできる。この場合、液晶焦点調整素子等の動的な焦点調整手段の追加が必要である。
【００６１】
次に、本発明の実施の形態１２について説明する。本実施の形態１２は、前述した実施の形態３，４，９，１０，１１における制御層５において、１単位として構成される記録層３と中間層２の組み合わせの順序情報、あるいは記録層３の中で記録マーク３ａの複数の周期的な配列や層状の配置に係る構成情報、および多層光情報記録媒体内の位置を表す情報を制御層５の中に記録したものである。
【００６２】
これらの情報を制御層５の中に記録する方法は、制御層５のトラック用グルーブを作成する際、同時に形状変化で凹凸状に制御層５中に形成することができる。その他の構成，動作等は各実施の形態の場合と同等である。
【００６３】
また、本発明の多層光情報記録媒体における記録層３，中間層２等の各層の層数や層厚等の数値については、全体での記録層３の層数は数十層から数百層程度までを想定の範囲としており、また、１単位の層数は前述したように、数層以上から１００層以下の程度を想定の範囲としている。具体的には、実際に利用可能な材料および製品のスペックを考慮した場合、記録層３および中間層２の膜厚は０．１μｍ〜数十μｍ程度の範囲であり、中間層２の方が記録層３と同等か層厚が厚いことが好ましく、さらに、スペーサ層４に関しても、１μｍ〜１００μｍ程度の範囲とすることが好ましい。
【産業上の利用可能性】
【００６４】
本発明に係る多層光情報記録媒体は、波長や入射光の角度変化による信号記録および読み出し時の反射光量変化を抑制し、ノイズの増加やＳ／Ｎ比の劣化を低減するとともに、トラッキングの精度を高めて利用効率の向上を図ることができ、光ファイルシステムや映像情報等の記録を行う光情報記録再生装置および記録媒体に用いられる多層式の光記録媒体に有用である。
【図面の簡単な説明】
【００６５】
【図１】本発明の実施の形態１における多層光情報記録媒体の構成を示す図
【図２】層数と反射率の関係を示す図
【図３】中間層層厚と反射率の関係を示す図
【図４】本発明の実施の形態２における多層光情報記録媒体の構成を示す図
【図５】本発明の実施の形態３における多層光情報記録媒体の構成を示す図
【図６】本発明の実施の形態４における多層光情報記録媒体の構成を示す図
【図７】本発明の実施の形態５における多層光情報記録媒体の構成を示す図
【図８】本発明の実施の形態６における多層光情報記録媒体の構成を示す図
【図９】本発明の実施の形態７における多層光情報記録媒体の構成を示す図
【図１０】本発明の実施の形態８における多層光情報記録媒体の構成を示す図
【図１１】本発明の実施の形態９における多層光情報記録媒体の構成を示す図
【図１２】本発明の実施の形態１０における多層光情報記録媒体の構成を示す図
【図１３】本発明の実施の形態１１における多層光情報記録媒体に信号記録再生を行う装置を示す構成図
【図１４】従来の多層光情報記録媒体の構成を示す図
【符号の説明】
【００６６】
１  基板
２，２−１，２−２，２−３  中間増
３，３−１，３−２，３−３  記録層
３ａ  記録マーク
３ｂ−１，３ｂ−２，３ｂ−３  厚さ
４，４−１，４−２  スペーサ層
５  制御層
６  接着層
１１  光源（第１光源）
１２，２４  レンズ
１３，２５  偏光ビームスプリッタ
１４  ダイクロイックプリズム
１５  １／４波長板
１６  対物レンズ
１７，１９，２０，２６，２７，２８  集光レンズ
１８  ピンホール（第１ピンホール）
２１  シリンドリカルレンズ
２２  ４分割光検出器
２３  光源（第２光源）
２９  ピンホール（第２ピンホール）
３０  光検出器
【図１】
0004503525.tif 000002
【図２】
0004503525.tif 000003
【図３】
0004503525.tif 000004
【図４】
0004503525.tif 000005
【図５】
0004503525.tif 000006
【図６】
0004503525.tif 000007
【図７】
0004503525.tif 000008
【図８】
0004503525.tif 000009
【図９】
0004503525.tif 000010
【図１０】
0004503525.tif 000011
【図１１】
0004503525.tif 000012
【図１２】
0004503525.tif 000013
【図１３】
0004503525.tif 000014
【図１４】
0004503525.tif 000015